(57)【要約】  方法とシステムは、その中にチャンバ１２６を有するレンズ本体１２０と、レンズ本体に連結された貯蔵モジュール１３０と、光学流体１４０と、を含む眼科レンズ１１０を提供する。レンズ本体の少なくとも一部分は柔軟である。貯蔵モジュールは、貯蔵部１３２Ａ、１３２Ｂと、貯蔵部と境界を接する感熱部分１３４とを含む。貯蔵部は貯蔵体積を有し、チャンバと流体的に接続される。感熱部分は少なくとも摂氏４５度の温度に応答する形状を有して、貯蔵体積は感熱部の少なくとも一部がその温度に到達したことに応答して変化するようになっている。光学流体はチャンバ及び貯蔵部内にある。貯蔵体積の変化によって貯蔵部とチャンバとの間に光学流体の一部分が流れて、レンズ本体の柔軟部分がベースパワーの変化に対応する形状変化を生じさせる。
2019526372.tif 000002
【特許請求の範囲】
【請求項１】
眼科レンズであって、
その中にチャンバを有するレンズ本体であって、前記レンズ本体の少なくとも一部が柔軟であり、レンズ本体屈折率を有するレンズ本体と、
前記レンズ本体に連結された貯蔵モジュールであって、感熱部分を含み、その中に貯蔵部を有し、前記貯蔵部は前記レンズ本体の前記チャンバと流体的に接続され、貯蔵体積を有し、前記貯蔵モジュールの前記感熱部分は前記貯蔵部の少なくとも一部分と境界を接し、前記感熱部分は少なくとも摂氏４５度の温度に応答する形状を有して、前記貯蔵体積が前記感熱部分の少なくとも一部が前記温度に到達したことに応答して変化するような貯蔵モジュールと、
前記チャンバと前記貯蔵部の中にある光学流体であって、光学流体屈折率を有し、前記貯蔵体積内の変化によって前記光学流体の一部分が前記貯蔵部と前記チャンバとの間に流れて、前記レンズ本体の前記少なくとも一部分がベースパワーの変化に対応する形状変化を生じさせるようになっており、前記光学流体屈折率は前記レンズ本体屈折率の０．１にある光学流体と、
を含む眼科レンズ。
【請求項２】
前記貯蔵モジュールの前記感熱部分は複数のカプセルを含み、前記複数のカプセルの各々は第一の形状及び第二の形状から選択される形状を有し、前記複数のカプセルの各々は、前記温度に応答して前記第一の形状から前記第二の形状に変化し、その結果、前記貯蔵体積内の前記変化の少なくとも一部が生じる、請求項１に記載の眼科レンズ。
【請求項３】
前記複数のカプセルの各々は１つのカプセル体積を有する、請求項２に記載の眼科レンズ。
【請求項４】
前記カプセル体積は０．２５ディオプトリ以下のベースパワーの変化に対応する、請求項３に記載の眼科レンズ。
【請求項５】
前記複数のカプセルの第一の部分は第一の向きを有して、前記複数のカプセルの前記第一の部分の第一のカプセルが前記第一の形状から前記第二の形状に変化したことに応答して、前記光学流体の第一の部分が前記貯蔵部から前記チャンバに流れるようになっており、前記複数のカプセルの第二の部分は第二の向きを有して、前記複数のカプセルの前記第二の部分の第二のカプセルが前記第一の形状から前記第二の形状に変化したことに応答して、前記光学流体の第二の部分が前記チャンバから前記貯蔵部に流れるようになっている、請求項２に記載の眼科レンズ。
【請求項６】
前記貯蔵部を前記チャンバに流体的に接続するマイクロ流体経路をさらに含む、請求項１に記載の眼科レンズ。
【請求項７】
前記温度は少なくとも摂氏６０度であり且つ摂氏１００度以下である、請求項１に記載の眼科レンズ。
【請求項８】
前記レンズ本体は周辺を有し、前記貯蔵モジュールは前記周辺において前記レンズ本体に連結される、請求項１に記載の眼科レンズ。
【請求項９】
前記レンズ本体は光軸を有し、前記貯蔵モジュールの前記感熱部分は前記光軸から遠位にある、請求項１に記載の眼科レンズ。
【請求項１０】
前記貯蔵モジュールの前記感熱部分は第一の形状及び第二の形状から選択される形状を有する管を含み、前記管は前記温度に応答して前記第一の形状から前記第二の形状に変化し、その結果、前記貯蔵体積内の前記変化の少なくとも一部が生じる、請求項１に記載の眼科レンズ。
【請求項１１】
前記レンズ本体の前記少なくとも一部は柔軟膜を含み、前記レンズ本体の第二の部分は一定である、請求項１に記載の眼科レンズ。
【請求項１２】
前記貯蔵モジュールの前記感熱部分は、前記温度以上のガラス転移温度を有する形状記憶ポリマを含む、請求項１に記載の眼科レンズ。
【請求項１３】
前記貯蔵モジュールの前記感熱部分は、選択された波長範囲内の光を吸収するために添加剤が添加されている形状記憶ポリマを含む、請求項１に記載の眼科レンズ。
【請求項１４】
患者の眼科的状態を治療する方法であって、
前記患者の眼に移植される眼科器具を選択するステップであって、前記眼科器具は、レンズ本体と、貯蔵モジュールと、光学流体と、を有する眼科レンズを含み、前記レンズ本体はその中にチャンバを有し、前記レンズ本体の少なくとも一部は柔軟であり、前記レンズ本体はレンズ本体屈折率を有し、前記貯蔵モジュールは前記レンズ本体に連結され、前記貯蔵モジュールは感熱部分を含み、その中に貯蔵部を有し、前記貯蔵部は前記レンズ本体の前記チャンバに流体的に接続され、貯蔵体積を有し、前記貯蔵モジュールの前記感熱部分は前記貯蔵部の少なくとも一部分と境界を接し、前記感熱部分は少なくとも摂氏４５度の温度に応答する形状を有して、前記貯蔵体積は前記感熱部分の少なくとも一部が前記温度に到達したことに応答して変化するようになっており、前記光学流体は前記チャンバ及び前記貯蔵部の中にあり、前記光学流体は光学流体屈折率を有し、前記貯蔵体積の変化により、前記光学流体の一部分が前記貯蔵部と前記チャンバとの間に流れて、前記レンズ本体の前記少なくとも一部分がベースパワーの変化に対応する形状変化を生じさせるようになっており、前記光学流体屈折率は前記レンズ本体屈折率の０．１にあり、前記眼科器具は第一のベースパワーを有するステップと、
前記眼科器具を前記患者の前記眼の中に移植するステップと、
前記第一のベースパワーが前記患者にとって適切であるか判断するステップと、
前記第一のベースパワーが適切でない場合、前記貯蔵モジュールの前記感熱部分の少なくとも一部を前記温度に非侵襲的にさらし、それによって前記第一のベースパワーを第二のベースパワーに変化させるステップと、
を含む方法。
【請求項１５】
前記感熱部分の前記少なくとも一部分を前記温度にさらす前記ステップは、
前記感熱部分の前記部分にレーザを発射するステップをさらに含む、請求項２０に記載の方法。
【発明の詳細な説明】
【技術分野】
【０００１】
本開示は一般に眼科レンズに関し、より詳しくは、熱により調整可能な眼内レンズに関する。
【背景技術】
【０００２】
眼内レンズ（ＩＯＬ：ｉｎｔｒａｏｃｕｌａｒ  ｌｅｎｓ）は、患者の水晶体と置換するため、又は有水晶体ＩＯＬの場合は患者の水晶体を補完するために患者の眼内に移植される。従来のＩＯＬの中には単焦点ＩＯＬもあれば、多焦点ＩＯＬもある。単焦点ＩＯＬは１つの焦点距離又は１つのパワーを有する。眼／ＩＯＬからの焦点距離にある物体はピントが合うが、それより近いか、又はそれより遠い物体はピントが合わない可能性がある。それに対して、多焦点ＩＯＬは少なくとも２つの焦点距離を有する。多焦点レンズは、近視等の状態を有する患者を支援してもよい。一般に、医師は患者にとって適切なベースパワー及びその他の特性を有するＩＯＬを選択する。白内障等の他の状態のためにしばしば行われる眼科手術において、選択されたＩＯＬが移植される。
【０００３】
ＩＯＬはほとんどの患者において容認可能な程度にうまく機能するが、選択されたＩＯＬはその患者にとって不適当なパワーを有する可能性がある。そのＩＯＬを取り出して、新しいＩＯＬを選択し、移植することもできる。しかしながら、この目的のために追加の眼科手術を行うことは望ましくない。他のＩＯＬは、そのパワーを非侵襲的に調整しうる。例えば、ＩＯＬは紫外（ＵＶ）光に対する感受性を有している可能性がある。このようなＩＯＬは、レンズのパワーを変化させるためにＵＶ光に暴露されてもよい。ＵＶ光への暴露によってＩＯＬの形状、したがってレンズのベースパワーが変化しうる。この方法でＩＯＬのベースパワーを調節できるが、このようなＩＯＬでは、調節段階が完了するまで患者はＵＶ光遮断眼鏡をずっとかけている必要がある。調節段階は典型的に、２週間程度である。患者にＵＶ光遮断眼鏡を２週間にわたって１日２４時間かけるように要求することは、患者にとって不都合であり、望ましくない。調節段階が完了すると、ＩＯＬの変化をロックして、日常的なＵＶ光への暴露によりＩＯＬのパワーがそれ以上変化しないようにしなければならない。これらの変化がロックされると、ＩＯＬのベースパワーはもう調節できなくなる可能性がある。張力を変化せること等、レンズのベースパワーを変化させるためのその他のメカニズムもある。しかしながら、これらメカニズムには付随する欠点がある。
【発明の概要】
【発明が解決しようとする課題】
【０００４】
したがって、必要なのはＩＯＬのベースパワーを非侵襲的に変化させるための改良されたメカニズムである。
【課題を解決するための手段】
【０００５】
方法とシステムは、その中にチャンバを有するレンズ本体と、レンズ本体と連結される貯蔵モジュールと、光学流体と、を含む眼科レンズを提供する。レンズ本体の少なくとも一部分は柔軟である。貯蔵モジュールは感熱部分を含み、その中に貯蔵部を有する。貯蔵部は貯蔵体積を有し、チャンバと流体的に接続される。貯蔵モジュールの感熱部分は貯蔵部の少なくとも一部分と境を接する。感熱部分は、少なくとも摂氏４５度の温度に応答する形状を有して、貯蔵体積は感熱部分の少なくとも一部がその温度に到達したことに応答して変化するようになっている。光学流体はチャンバと貯蔵部の中にある。光学流体は、レンズ本体の屈折率と０．１以内でマッチする光学流体屈折率を有する。貯蔵体積内の変化により、光学流体の一部分が貯蔵部とチャンバとの間で流れ、レンズ本体のその少なくとも一部分はベースパワーの変化に対応する形状変化を生じさせる。
【０００６】
本明細書に記載されている方法とシステムによれば、医師はＩＯＬ等の移植眼科器具のパワーをよりよく、より容易に非侵襲的に変化させることができる。
【０００７】
本開示とその利点をより十分に理解するために、ここで、添付の図面に関連して読むべき以下の説明を参照するが、図中、同様の参照番号は同様の特徴を示す。
【図面の簡単な説明】
【０００８】
【図１Ａ−１Ｅ】熱により調整可能な眼科器具のある例示的実施形態の各種の図を示す。
【図２Ａ−２Ｄ】熱により調整可能な眼科器具の他の例示的実施形態の各種の図を示す。
【図３Ａ−３Ｂ】熱により調整可能な眼科レンズの他の例示的実施形態の各種の図を示す。
【図４】熱により調整可能な眼科レンズの他の例示的実施形態の断面斜視図を示す。
【図５】熱により調整可能な眼科器具を提供する方法のある例示的実施形態を示すフローチャートである。
【図６】熱により調整可能な眼科器具を使用する方法のある例示的実施形態を示すフローチャートである。
【発明を実施するための形態】
【０００９】
例示的実施形態は、眼内レンズ（ＩＯＬ）等の眼科器具に関する。以下の説明は、当業者が本発明を製造及び使用できるようにするために提示され、特許出願及びその要求事項の観点から提供される。本明細書に記載される例示的実施形態及び全体的原理と特徴に対する様々な改良が容易に明らかとなるであろう。例示的実施形態は主として、特定の実施例において提供される特定の方法とシステムに関して説明されている。しかしながら、方法とシステムは他の実施形態でも有効に機能を果たす。「例示的実施形態」、「１つの実施形態」、及び「他の実施形態」等の語句は、同じ又は異なる実施形態のほか、複数の実施形態を指してもよい。実施形態は、特定の構成要素を有するシステム及び／又は器具に関連して説明される。しかしながら、システム及び／又は器具は、図示されているものより多い、又は少ない構成要素を含んでいてもよく、構成要素の配置と種類は、本発明の範囲から逸脱せずに変更してもよい。例示的実施形態はまた、特定のステップを有する特定の方法の観点から説明される。しかしながら、方法とシステムは、例示的実施形態と矛盾しない異なる及び／又は追加のステップ並びに他の順序のステップを有する他の方法についても有効に機能を果たす。それゆえ、本発明は図示されている実施形態に限定されることは意図されず、本明細書に記載の原理及び特徴と一致する最も広い範囲によるものとする。方法とシステムはまた、複数の項目ではなく単独の項目に関して説明される。当業者であれば、これらの単数形の用語は複数を包含することがわかるであろう。例えば、チャンバは１つ又は複数のチャンバを含んでいてもよい。
【００１０】
方法とシステムは、その中にチャンバを有するレンズ本体と、レンズ本体と連結される貯蔵モジュールと、光学流体と、を含む眼科レンズを提供する。レンズ本体の少なくとも一部分は柔軟である。貯蔵モジュールは感熱部分を含み、その中に貯蔵部を有する。貯蔵部は貯蔵体積を有し、チャンバと流体的に接続される。貯蔵モジュールの感熱部分は貯蔵部の少なくとも一部分と境を接する。感熱部分は、少なくとも摂氏４５度の温度に応答する形状を有して、貯蔵体積は感熱部分の少なくとも一部がその温度に到達したことに応答して変化するようになっている。光学流体はチャンバと貯蔵部の中にある。光学流体は、レンズ本体の屈折率と０．１以内でマッチする光学流体屈折率を有する。貯蔵体積内の変化により、光学流体の一部分が貯蔵部とチャンバとの間で流れ、レンズ本体のその少なくとも一部分はベースパワーの変化に対応する形状変化を生じさせる。
【００１１】
図１Ａ〜１Ｅは、熱により調整可能な眼科器具１００のある例示的実施形態を示しており、これはＩＯＬとして使用されてもよい。簡潔にするために、眼科器具１００を以下、ＩＯＬ  １００と呼ぶ。図１ＡはＩＯＬ  １００の平面図を示し、図１Ｂ〜１Ｅは眼科レンズ１１０の側面図を示す。明瞭さのために、図１Ａ〜１Ｅは正確な縮尺によらない。ＩＯＬ  １００は、眼科レンズ１１０のほか、ハプティクス１０２及び１０４を含む。眼科レンズ１１０の部分は様々な光学材料を含んでいてもよく、これにはシリコーン、ヒドロゲル、及びアクリルのうちの１つ又は複数が含まれるが、これらに限定されない。ハプティクス１０２及び１０４は、眼科器具１００を患者の眼内の所定の位置に保持するために使用される（明確には示されていない）。しかしながら、他の実施形態において、眼科器具を眼内の所定の位置に保持するために他のメカニズムが使用されてもよい。明瞭さのために、ハプティクスは後述の図１Ｂ〜３Ｃには描かれていない。眼科レンズ１１０は、図１Ａの平面図では円形の断面を有するように描かれているが、他の実施形態において、他の形状が使用されてもよい。
【００１２】
眼科レンズ１１０（以下、「レンズ」という）は、光軸１０６のほか、レンズ本体１２０、貯蔵モジュール１３０、及び光学流体１４０を有する。レンズ１１０の中の符号の付けられた部分ではあるが、光軸１０６は、前面及び後面の中心を通る想像線と考えてよい。それゆえ、光軸１０６は破線で示されている。光軸１０６はまた、表面に対し、それが表面を通過する点において垂直であってもよい。図示されていないが、前面及び／又は後面は、これに限定されないが回折格子を含む他の特徴を有していてもよい。別の構成要素として示されているが、貯蔵モジュール１３０とレンズ本体１２０は１つの部品として相互に統合されてもよい。例えば、レンズ本体１２０及び貯蔵モジュールの幾つか又は全部は一体に形成されたモノリシックな構造であってもよい。
【００１３】
レンズ本体１２０は、ＩＯＬ  １００の主要な光学構成要素を形成する。それゆえ、光がレンズ本体１２０と眼のその他の構成要素を通過し、患者は物を見ることができる。幾つかの実施形態において、貯蔵モジュール１３０は、視覚で使用される光を透過させるように設計されていない。レンズ本体１２０はベース１２２、柔軟部分１２４、及びチャンバ１２６を含む。図の実施形態において、柔軟部分１２４は柔軟な膜１２４であると考えられる。その結果、柔軟部分１２４を以下、柔軟膜１２４と呼ぶ。しかしながら、柔軟部分が他の構成を有することを妨げるものはない。チャンバ１２６は、ベース１２２と柔軟膜１２４との間の空間と考えられてもよい。後述の光学流体１４０は、少なくともチャンバ１２６の中にある。
【００１４】
図の実施形態において、ベース１２２は安定した光学特性を有する。それゆえ、ベース１２２は形状において比較的一定であってもよい。他の実施形態において、ベース１２２はチャンバ１２６の体積の変化に応答して幾分形状を変化させてもよい。これに対して、柔軟膜１２４は柔軟であり、貯蔵部１２６の体積の変化に応答して形状を変化させる。
【００１５】
幾つかの実施形態において、ベース１２２と柔軟膜１２４は同じ材料で製造されてもよく、例えばＡｃｒｙＳｏｆ（登録商標）、ＡｃｒｙＳｏｆ（登録商標）２及び／又はその他の柔らかい光学材料が使用されてよい。他の実施形態において、ベース１２２と柔軟膜１２４は異なる材料で製造されてもよい。ベース１２２は、ベース１２２が実質的に変化しないままとなるのに十分に厚くてもよい。しかしながら、柔軟膜１２４は、チャンバ１２６の体積の変化に応答するのに十分に薄くてもよい。例えば、柔軟膜１２４は少なくとも８０マイクロメートルの厚さであり、３００マイクロメートルの厚さ以下であってよい。他の実施形態において、他の厚さも可能である。幾つかの実施形態において、柔軟膜１２４は、光学流体１４０が提供される前は均一な厚さを有する。他の実施形態において、柔軟膜１２４の厚さは不均一であってもよい。
【００１６】
貯蔵モジュール１３０は、レンズ本体１２０の周辺にあり、貯蔵部１３２Ａ／１３２Ｂと感熱部分１３４を含む。図１Ｂ〜１Ｄに断面が示されている。それゆえ、貯蔵部１３２Ａ及び貯蔵部１３２Ｂ（まとめて貯蔵部１３２Ａ／１３２Ｂと呼ぶ）と感熱部分１３４Ａ及び１３４Ｂが示されている。幾つかの実施形態において、貯蔵部１３２Ａ及び１３２Ｂは貯蔵モジュール１３０内で接続され、流体がレンズ本体１２０の周辺に流れるようになっている。例えば、貯蔵部１３２Ａ及び１３２Ｂは単に、中空の環状体（すなわち管）の一部であってもよい。他の実施形態において、貯蔵部１３２Ａ及び１３２Ｂは分離され、貯蔵部１３２Ａ及び１３２Ｂ間の流体の流れがレンズ本体１２０のチャンバ１２６を通じて発生しないようにされてもよい。他の実施形態では、貯蔵部１３２Ａ及び１３２Ｂは異なる形状を有していてもよい。
【００１７】
貯蔵部１３２Ａ及び１３２Ｂは、レンズ本体１２０のチャンバ１２６と流体的に接続される。図の実施形態において、チャンバ１２６と貯蔵部１３２Ａ及び１３２Ｂとの間に単純に入口／出口（すなわち、開口部又は通路）がある。他の実施形態において、チャンバ１２６と貯蔵部１３２Ａ及び１３２Ｂとの間の流体経路はより複雑であってもよい。
【００１８】
光学流体１４０は、チャンバ１２６及び貯蔵部１３２Ａ／１３２Ｂの中にある。簡潔にするために、図１Ｂにおいて、光学流体１４０は個々に符号が表示されているだけである。図１Ｃ〜１Ｅでは、光学流体は貯蔵部１３２Ａ／１３２Ｂ及びチャンバ１２６と共に符号が表示されている。光学流体１４０は、チャンバ１２６と貯蔵部１３２Ａ／１３２Ｂとの間に流れてもよい。光学流体１４０はチャンバ１２６の中に存在できるため、光学流体１４０は視覚に使用される光の経路の中にある。それゆえ、光学流体１４０は光を透過させる。光はレンズ本体１２０により屈折するため、光学流体１４０はまた、レンズ本体１２０（例えば、ベース１２２及び、幾つかの実施形態においてはベース１２２及び柔軟膜１２４）のそれと特定の限度までマッチする屈折率を有していてもよい。例えば、幾つかの実施形態において、光学流体１４０の屈折率はレンズ本体１２０のそれの０．１以内にある。幾つかの実施形態において、光学流体１４０の屈折率はレンズ本体１２０のそれと０．０５より大きく異ならない。レンズ本体１２０がＡｃｒｙＳｏｆ（登録商標）又はＡｃｒｙＳｏｆ（登録商標）２等の材料で製造されている場合、光学流体１４０は高分子量芳香族系シリコーンコポリマ液であってもよい。
【００１９】
貯蔵モジュール１３０の感熱部分１３４Ａ及び１３４Ｂは、１つの感熱部分の一部であってもよい。例えば、感熱部分１３４Ａ及び１３４Ｂは、貯蔵部１３２Ａ／１３２Ｂの１つの壁を占有する環状体の一部であってもよい。他の実施形態において、感熱部分１３４Ａ／１３４Ｂは異なる形状を有していてもよい。例えば、感熱部分１３４Ａ及び／又は１３４Ｂは球形、半球形、立方体、楕円形、又はその他の異なる形状を有していてもよい。これらの形状はつながっていても別々でもよい。それに加えて、感熱部分１３４Ａは感熱部分１３４Ｂとは異なる形状を有していてもよい。図の実施形態において、感熱部分１３４Ａ及び１３４Ｂは異なる大きさを有する。しかしながら、他の実施形態では感熱部分１３４Ａ及び１３４Ｂは同じ大きさを有していてもよい。
【００２０】
感熱部分１３４Ａ及び１３４Ｂは、特定の温度（以下、「ガラス転移温度」という）に到達したことに応答して形状を変化させる。図の実施形態において、感熱部分１３４Ａ及び１３４Ｂは同じ材料で形成され、同じガラス転移温度を有する。他の実施形態において、感熱部分１３４Ａ及び１３４Ｂは異なる材料で形成され、及び／又は異なるガラス転移温度を有していてもよい。感熱部分１３４Ａ及び１３４Ｂのこのガラス転移温度は、眼の平常温度より高いことが望ましい。ガラス転移温度はまた、感熱部分１３４Ａ及び１３４Ｂがガラス転移温度に到達しても眼に損傷を与えないようにするのに十分に低いことが望ましい。幾つかの実施形態において、感熱部分１３４Ａ及び１３４Ｂは、これらの部分１３４Ａ及び１３４Ｂの局所的な加熱が、たとえ温度が眼の平常温度より十分に高い温度に到達しても眼にマイナスの影響を与えないようするのに十分に小さい。例えば、ＩＯＬ  １００が存在することが望まれる眼の平常温度は、摂氏約３５度〜摂氏４０度であってもよい。感熱部分１３４Ａ及び１３４Ｂのガラス転移温度は、少なくとも摂氏４５度であってもよい。幾つかの実施形態において、ガラス転移温度は少なくとも摂氏６０度であってもよい。他の実施形態において、ガラス転移温度は、幾つかの実施形態において少なくとも摂氏９０度であってもよい。それに加えて、ガラス転移温度は摂氏１００度未満であることが望ましい可能性がある。
【００２１】
眼の平常温度で、感熱部分１３４Ａ及び１３４Ｂの形状は一定である。感熱部分１３４Ａ及び１３４Ｂの一方又は両方がガラス転移温度まで加熱されると、形状が変化する。冷却すると、感熱部分１３４Ａ及び１３４Ｂは新しい形状を保持する。すると、この形状は一定のままとなる。それゆえ、ＩＯＬ  １００の通常の装用はレンズ１１０のベースパワーに、又は感熱部分１３４Ａ及び１３４Ｂの形状に影響を与えない。例えば、感熱部分１３４Ａ及び１３４Ｂは形状記憶材料、例えば形状記憶ポリマ（ＳＭＰ）から形成されてもよい。それに加えて、ＳＭＰには加熱のためにレーザが提供する波長範囲内の光を吸収する添加剤（例えば、染料またその他の材料）が添加されてもよい。
【００２２】
ＩＯＬ  １００の動作は図１Ｂ〜１Ｅからわかるであろう。まず、図１Ｂに示されているように、感熱部分１３４Ａ及び１３４Ｂは特定の形状を有する。感熱部分１３４Ａはガラス転移温度まで、又はそれ以上に加熱されてもよい。幾つかの実施形態において、この加熱はレーザを介して実現される。例えば、レーザは感熱部分１３４Ａに照準を合わせて発射されてもよい。レーザの波長は、眼の角膜及び硝子体液を透過するように選択される。幾つかの実施形態において、レーザは約１０６４ｎｍの特徴的波長を有していてもよい。他の実施形態において、レーザは７５０〜８５０ナノメートルの波長範囲内であってもよい。感熱部分１３４Ａは少なくともガラス転移温度まで加熱され、形状を変化させる。
【００２３】
図１Ｃは、感熱部分１３４Ａを少なくともガラス転移温度まで加熱した後のレンズ１１０を示している。レンズ１１０は冷却されていてもよい。感熱部分１３４Ａ’は形状が変化している。その結果、貯蔵部１３２Ａ’の体積は減少している。これによって光学流体１４０の一部がチャンバ１２６’の中へと押し出される。柔軟膜１２４’は硬質ではないため、光学流体１４０のチャンバ１２６’への移動によってチャンバ１２６’の堆積が増大し、柔軟膜１２４’の形状が変化する。それゆえ、レンズ１１０のパワーが変化している。貯蔵部１３２Ａ’及びチャンバ１２６’の体積の変化と柔軟膜１２４’及び光学流体１４０の特性に基づき、レンズ１１０のベースパワーの変化が特定されてもよい。
【００２４】
あるいは、感熱部分１３４Ｂがガラス転移温度まで、又はそれ以上に加熱されてもよい。加熱は、前述のものと同様にレーザ又は同様のメカニズムを使って実現されてもよい。図１Ｄは、感熱部分１３４Ｂを加熱した後のレンズ１１０を示している。レンズ１１０は冷却されていてもよい。感熱部分１３４Ｂ’は形状が変化している。その結果、貯蔵部１３２Ｂ’の体積は減少している。これによって光学流体１４０の一部がチャンバ１２６’’の中へと押し出される。柔軟膜１２４’’は硬質ではないため、光学流体１４０のチャンバ１２６’’への移動によってチャンバ１２６’’の体積が増大し、柔軟膜１２４’’の形状が変化する。それゆえ、レンズ１１０のパワーは変化している。貯蔵部１３２Ｂ’’及びチャンバ１２６’’の体積の変化と柔軟膜１２４’’及び光学流体１４０の特性に基づき、レンズ１１０のベースパワーの変化が特定されてもよい。しかしながら、貯蔵部１３２Ｂ’’の体積の変化はより小さいため、レンズ１１０のベースパワーの変化は図１Ｄにおいては図１Ｃより小さい。
【００２５】
感熱部分１３４Ａ及び１３４Ｂの両方がガラス転移温度まで、又はそれ以上に加熱されてもよい。加熱は、前述のものと同様にレーザ又は同様のメカニズムを使って実現されてもよい。図１Ｅは、感熱部分１３４Ａ及び１３４Ｂを加熱した後のレンズ１１０を示している。レンズ１１０は冷却されていてもよい。感熱部分１３４Ａ’及び１３４Ｂ’は形状が変化している。その結果、貯蔵部１３２Ａ’及び１３２Ｂ’の体積は減少している。これによって光学流体１４０の一部がチャンバ１２６’’’の中へと押し出される。柔軟膜１２４’’’は硬質ではないため、光学流体１４０のチャンバ１２６’’’への移動によってチャンバ１２６’’’の体積が増大し、柔軟膜１２４’’’の形状が変化する。それゆえ、レンズ１１０のパワーは変化している。貯蔵部１３２Ａ’及び１３２Ｂ’並びにチャンバ１２６’’’の体積の変化と柔軟膜１２４’’’及び光学流体１４０の特性に基づき、レンズ１１０のベースパワーの変化が特定されてもよい。貯蔵部１３２Ａ’及び１３２Ｂ’の体積変化はより大きいため、レンズ１１０のベースパワーの変化は図１Ｅにおいては図１Ｃ及び１Ｄより大きい。例えば、図１Ｄに示される状況でレンズ１１０のベースパワーが０．２５ディオプトリだけ変化した場合、ベースパワーは、図１Ｃに示される場合では０．５ディオプトリだけ、図１Ｅに示される場合では０．７５ディオプトリだけ変化してもよい。さらに、図１Ｃ、１Ｄ、及び１Ｅにおいて示される変化は、同時に生じる必要はない。その代わりに、これらの変化は更新された情報及び／又は患者の眼への変化に基づいて後で行われてもよい。
【００２６】
レンズ１１０の、すなわちＩＯＬ  １００のベースパワーは、レンズ１１０が患者にとって適切でないベースパワーを有するか、又は患者の視力が時間と共に変化した場合に変化させられてもよい。幾つかの構成では、レンズ１１０のパワーは、貯蔵部１３２Ａ／１３２Ｂにおける体積の増減があるか否かに基づいて上下に調節されてもよい。感熱部分１３４Ａ及び１３４Ｂはレーザによって変化させられてもよいため、レンズ１１０のパワーは非侵襲的に変化させられてもよい。それゆえ、ＩＯＬ交換等の侵襲的な処置のリスクを回避できる。その代わりに、単に診療所に行きさえすればよい。レンズ１１０のベースパワーをレーザによる加熱を通じて変化させることはまた、ＩＯＬをそっくり交換する場合より費用効果も高い可能性がある。それに加えて、レンズのベースパワーの変更のためのその他の非侵襲的メカニズムの欠点が回避される可能性がある。例えば、変化をレンズ１１０にロックする必要がある。その代わりに、レンズ１１０の寿命を通していつでも、追加の熱が加えられてもよい。さらに、レンズ１１０は、ベースパワーの調節時を中心に四六時中、特別な眼鏡、例えばＵＶ光保護眼鏡をかけることを必要としない。それに加えて、単に診療所に行くだけでレンズ１１０のパワーを調節できる。調節はまた、より迅速に行われる可能性がある。幾つかの場合に、加熱、感熱部分１３４Ａ／１３４Ｂの形状の急速な変化、貯蔵部１３２Ａ／１３２Ｂとチャンバ１２６との間の流体の流れ、チャンバ１２６の体積の変化、及びそれに付随するレンズのベーパワーの変化には、数分またそれ以下しかかからない可能性がある。それゆえ、レンズ１１０は、より簡単に患者のニーズに合わせて調整されてよい。
【００２７】
図２Ａ〜２Ｄは、ＩＯＬとして、又はその中で使用されてもよい、熱により調整可能な眼科レンズ１５０の他の例示的実施形態を示す。簡潔にするために、眼科レンズ１５０を以下、レンズ１５０と呼ぶ。図２Ａ〜２Ｄは、眼科レンズ１１０の側面図を示す。明瞭さのために、図２Ａ〜２Ｄは正確な縮尺によらない。レンズ１５０は、ＩＯＬ  １００等のＩＯＬの一部であってもよく、これはレンズ１５０を含み、また、ヘプティクス（図２Ａ〜２Ｅでは示されていない）を含んでいてもよい。
【００２８】
レンズ１５０は、光軸１５６のほか、レンズ本体１６０、貯蔵モジュール１７０、及び光学流体１９０を有する。レンズ本体１６０、貯蔵モジュール１７０、光学流体１９０、及び光軸１５６は、それぞれレンズ本体１２０、貯蔵モジュール１３０、光学流体１４０、及び光軸１０６と同様である。それゆえ、レンズ本体１６０、ベース１６２、柔軟膜１６４、及びチャンバ１６６は、それぞれレンズ本体１２０、ベース１２２、柔軟膜１２４、及びチャンバ１２６と同様である。同様に、貯蔵モジュール１７０、貯蔵部１７２Ａ／１７２Ｂ、及び感熱部分１７４Ａ及び１７４Ｂは、それぞれ貯蔵モジュール１３０、貯蔵部１３２Ａ／１３２Ｂ、及び感熱部分１３４Ａ及び１３４Ｂと同様である。最後に、光学流体１９０は光学流体１４０と同様である。それゆえ、これらの構成要素の構造、機能、及び材料は、上述のそれらと同様であってよい。例えば、光学流体１９０の屈折率は、レンズ本体１６０の屈折率と上述の誤差以内でマッチしてもよい。図示されていないが、前面及び／又は後面は、これらに限定されないが回折格子を含む他の特徴を有していてもよい。別の構成要素として示されているが、貯蔵モジュール１７０とレンズ本体１６０は、一体の部品へと相互に統合されてもよい。
【００２９】
貯蔵部１７２Ａ／１７２Ｂをチャンバ１６６と接続するマイクロ流体経路１８０も示されている。マイクロ流体経路１８０の端は破線として示され、チャンバ１６６と貯蔵部１７２Ａ／１７２Ｂの入口／出口を示す。幾つかの実施形態において、マイクロ流体経路１８０は単に直線的な通路である。しかしながら、他の実施形態において、マイクロ流体経路１８０は他の、より複雑な構造を有していてもよい。
【００３０】
レンズ本体１７０は、レンズ１５０の主要な光学構成要素を形成する。それに対して、貯蔵モジュール１７０は視覚で使用される光を透過させるように設計されていない可能性がある。図の実施形態において、柔軟膜１６４はしなやかで、チャンバ１６６の体積の変動に応答して変化してもよい光学特性を有する。それに対して、ベース１６２は安定した光学特性を有し、形状において比較的一定であってもよい。他の実施形態において、ベース１６２はチャンバ１６６の体積の変化に応答して幾分形状を変化させてもよい。
【００３１】
貯蔵モジュール１７０は、レンズ本体１６０の周辺にある。幾つかの実施形態において、貯蔵部１７２Ａ及び１７２Ｂは貯蔵モジュール１７０内でつながっていて、流体はレンズ本体１６０周辺に流れてもよい。幾つかの実施形態において、貯蔵部１７２Ａ及び１７２Ｂはつながっておらず、貯蔵部１７２Ａ及び１７２Ｂ間の流体の流れはレンズ本体１６０のチャンバ１６６を通じて一切発生しなくてよい。他の実施形態では、貯蔵部１７２Ａ及び１７２Ｂは異なる形状を有していてもよい。
【００３２】
貯蔵モジュール１３０の感熱部分１７４Ａ及び１７４Ｂは、１つの感熱部分の一部であってもよい。例えば、感熱部分１７４Ａ及び１７４Ｂは、貯蔵部１７２Ａ／１７２Ｂの１つの壁を占有する環状体の一部であってもよい。あるいは、感熱部分１７４Ａ及び１７４Ｂは、別々のユニットからなっていてもよい。例えば、図２Ａ〜２Ｄにおいて、各感熱部分１７４Ａ及び１７４Ｂはそれぞれ複数のカプセル１７５Ａ及び１７Ｂを含む。簡潔にするために、各感熱部分１７４Ａ及び１７４Ｂのそれぞれ１つのカプセル１７５Ａ及び１７５Ｂだけに符号が表示されている。幾つかの実施形態において、各カプセル１７５Ａ及び／又は１７５Ｂは１つの感熱構造であり、これらは他のカプセルから断熱されていてもよい。他の実施形態において、カプセル１７５Ａ及び１７５Ｂは１つの感熱構造の一部である。感熱部分１７４Ａ及び１７４Ｂの選択された領域は、それらのガラス転移温度まで、又はそれ以上に個別に加熱されてもよい。図の実施形態において、カプセル１７５Ａ及び１７５Ｂはほぼ半球形である。しかしながら、他の形状の使用を妨げるものはない。図の実施形態において、カプセル１７５Ａ及び１７５Ｂの各々は同じ大きさを有する。それゆえ、各カプセル１７５Ａ及び１７５Ｂは同じ体積の光学流体１９０を収容し／移動させてもよい。他の実施形態において、カプセル１７５Ａ及び／又は１７５Ｂは異なる大きさを有していてもよい。各カプセル１７５Ａ及び１７５Ｂの中に収容され／移動させられる光学流体の体積は依然として、既知であること、及びベースパワーにおける既知の変化に対応していることが望ましい。例えば、各カプセル１７５Ａ及び１７５Ｂは、所望の誤差内で０．２５ディオプトリのベースパワーの変化に対応していてもよい。幾つかの場合に、これは各カプセル１７５Ａ及び１７５Ｂの体積０．２ｍｍ３に対応する。しかしながら、他の体積及び他のベースパワーの変化も使用されてよい。例えば、１つのカプセル１７５Ａは０．２５ディオプトリの変化に対応してもよく、他のカプセル１７５Ａは０．５ディオプリの変化に対応してもよい等である。幾つかの実施形態において、４ディオプトのパワーの変化（例えば、±２ディオプトリ）が提供されてもよい。
【００３３】
カプセル１７５Ａ及び１７５Ｂの各々は、カプセル１７５Ａ及び１７５Ｂがガラス転移温度に到達したことに応答して形状を変化させる。冷却後、この新しい形状は安定する。ガラス転移温度未満では、形状はカプセル又は平坦な面のいずれかとして実質的に一定である。感熱部分１７４Ａ及び１７４Ｂのこのガラス転移温度は、眼の平常温度より有意に高く、かつ、感熱部分１７４Ａ及び１７４Ｂがガラス転移温度に到達しても眼に損傷を与えないようにするのに十分に低いことが望ましい。幾つかの実施形態において、カプセル１７５Ａ及び１７５Ｂは、これらのカプセル１７５Ａ及び１７５Ｂの局所的加熱が、部分１７４Ａ及び１７４Ｂが眼の平常温度より十分に高い温度に到達したとしても、眼にマイナスの影響を与えないようにするのに十分に小さい。カプセル１７５Ａ及び１７５Ｂは前述のＳＭＰで形成されてもよく、前述のガラス転移温度を有していてもよい。
【００３４】
図２Ａからわかるように、カプセル１７５Ａ及び１７５Ｂの、貯蔵部１７２Ａ及び１７２Ｂに関する向きは異なる。特に、カプセル１７５Ａの各々は貯蔵部１７２Ａからほぼ半球形の体積の光学流体１９０を移動させる。カプセル１７５Ｂの各々は、貯蔵部１７２Ｂ内にほぼ半球形の体積の光学流体１９０を含む。その結果、レンズ１５０のベースパワーは、カプセル１７５Ａ又はカプセル１７５Ｂのどちらがガラス転移温度まで、又はそれ以上に加熱されるか、及びそのように加熱されるカプセル１７５Ａ又は１７５Ｂの数に応じて、異なる量だけ上昇又は低下されてよい。
【００３５】
レンズ１５０の動作を図２Ａ〜２Ｄに関して説明する。後述の説明の中で、レンズ１５０はまず図２Ａに示される構成を有すると仮定する。レンズ１５０のベースパワーが高すぎる場合、レンズ１５０は光をより小さく屈折させることが望ましい。これは、柔軟膜１６４の曲率を小さくすることによって実現されてれもよい。貯蔵部１７２Ａに関するそれらの向きにより、カプセル１７５Ａ／感熱部分１７４Ａの形状の変化が利用されてよい。より具体的には、熱がカプセル１７５Ａの１つ又は複数に、例えばレーザを通じて加えられる。このカプセル１７５Ａの温度はそのガラス転移温度より高く上昇される。その結果、カプセル１７５Ａは形状を変化させる。
【００３６】
図２Ｂは、マイクロ流体経路１８０に最も近いカプセル１７５Ａに、カプセル１７５Ａの温度がガラス転移温度まで、又はそれ以上まで上昇させるのに十分な熱を加えた後のレンズ１５０の例示的実施形態を示す。レンズ１５０はその後、眼の周辺温度まで冷却されていてもよい。チャンバ１６６’に最も近いカプセル１７５Ａは扁平になっている。このカプセルは、第一の形状（半球形）から第二の形状（実質的に平坦）に変化している。この形状変化は、冷却後、安定している。その結果、貯蔵部１７２Ａ’は、ほぼカプセル１７５Ａの体積分だけ体積が増大している。貯蔵部１７２Ｂは変化しないままである。その結果、光学流体１９０がチャンバ１６６’からマイクロ流体経路１８０を通って貯蔵部１７２Ａ’へと流れている。光学流体１９０が柔軟膜１６４’にかける圧力が低下する。柔軟膜１６４’が扁平となり、チャンバ１６６’の体積がそれに対応して減少している。したがって、レンズ本体１６０の光学パワーは低下する。その結果、レンズ１５０のベースパワーは非侵襲的に低下されている。
【００３７】
それに対して、レンズ１５０の光学ベースパワーを図２Ａに示される状況から上昇させたいと仮定する。そうするために、柔軟膜１６４の曲率を大きくすることが望まれる。カプセル１７５Ｂの１つ又は複数がガラス転移温度まで、又はそれを超える温度に到達するように加熱処理されると、カプセル１７５Ｂが扁平となる。熱が１つのカプセル１７５Ｂに、例えばレーザを介して加えられると仮定する。このカプセル１７５Ｂの温度は、カプセル１７５Ｂのガラス転移温度より高く上昇される。その結果、カプセル１７５Ｂは形状を変化させる。
【００３８】
図２Ｃは、マイクロ流体経路１８０に最も近いカプセル１７５Ｂ’に、カプセル１７５Ｂ’の温度がガラス転移温度まで、又はそれ以上まで上昇させるのに十分な熱を加えた後のレンズ１５０の例示的実施形態を示す。レンズ１５０はその後、眼の周辺温度まで冷却されていてもよい。貯蔵モジュール１７０の感熱部分１７４Ｂ’において、チャンバ１６６’’に最も近いカプセルは扁平になっている。このカプセルは、半球形から実質的に平坦に変化している。その結果、貯蔵部１７２Ｂ’は、ほぼカプセル１７５Ｂの体積分だけ体積が減少している。貯蔵部１７２Ａは変化しないままである。その結果、光学流体１９０が貯蔵部１７２Ｂ’からマイクロ流体経路１８０を通ってチャンバ１６６’ ’へと流れている。光学流体１９０が柔軟膜１６４’’にかける圧力が増大する。チャンバ１６６’’の体積が増大し、柔軟膜１６４’’の曲率がそれに対応して増大している。チャンバ１６６’’の体積の変化は、カプセル１７５Ｂの体積と等しくすることができるが、その必要はない。したがって、レンズ１１０の光学パワーは増大する。その結果、レンズ１５０のベースパワーは非侵襲的に上昇されている。
【００３９】
レンズ１５０のパワーをさらに上昇させたいと判断される可能性がある。このような場合、より多くのカプセル１７５Ｂが熱処理されてよい。このような状況は図２Ｄに示されている。感熱部分１７４Ｂ’’からわかるように、他のカプセル１７５Ｂが熱処理されており、したがって平坦である。貯蔵部１７２Ｂ’’の体積はさらに減少する。光学流体１９０は貯蔵部１７２Ｂ’’からチャンバ１６６’’へと流れる。チャンバ１６４’’内の光学流体の圧力の増大によって、柔軟膜１６４’’はさらに変形し、チャンバ１６６’’の体積が増大する。その結果、レンズ１５０の光学パワーはさらに上昇される。レンズ１５０の光学パワーは、カプセル１７５Ａの１つ又は複数を熱処理することにより、再び低下させてもよい点に留意されたい。
【００４０】
レンズ１５０の特性は、非侵襲的に調節されてよい。より具体的には、レンズ１５０のベースパワーは、非侵襲的に上昇及び／又は低下されてもよい。それゆえ、レンズ１１０について論じられたものと同様の利点が得られてもよい。
【００４１】
図３Ａ〜３Ｂは、熱により調整可能な眼科レンズ２００の他の例示的実施形態の各種の図を示す。簡潔にするために、眼科レンズ２００を以下、レンズ２００と呼ぶ。図３Ａ〜３Ｂは、レンズ２００の部分の側面及び斜視図を示す。明瞭さのために、図３Ａ〜３Ｂは正確な縮尺によらない。レンズ２００は、ＩＯＬ  １００等のＩＯＬの一部であってもよく、これはレンズのほかハプティクス（図３Ａ〜３Ｂでは示されていない）を含む。簡潔にするために、光軸は示されていない。
【００４２】
レンズ２００は、レンズ本体２１０、貯蔵モジュール２２０、マイクロ流体経路２３０、及び光学流体（図３Ａ〜３Ｂでは具体的に示されていない）を有する。レンズ本体２１０、貯蔵モジュール２２０、マイクロ流体経路２３０、及び光学流体は、それぞれレンズ本体１２０／１６０、貯蔵モジュール１３０／１７０、マイクロ流体経路１８０、及び光学流体１４０／１９０と同様である。それゆえ、レンズ本体２１０、ベース２１２、柔軟膜２１４、及びチャンバ２１６は、それぞれレンズ本体１２０／１６０、ベース１２２／１６２、柔軟膜１２４／１６４、及びチャンバ１２６／１６６と同様である。同様に、貯蔵モジュール２２０、貯蔵部２２２、及び感熱部分２２４は、それぞれ貯蔵モジュール１３０／１７０、貯蔵部１３２Ａ／１３２Ｂ／１７２Ａ／１７２Ｂ、及び感熱部分１３４Ａ／１３４Ｂ／１７４Ａ／１７４Ｂと同様である。これらの構成要素の構造、機能、及び材料は前述のものと同様であってよい。図示されていないが、前面及び／又は後面は、これに限定されないが回折格子を含む他の特徴を有していてもよい。別の構成要素として示されているが、貯蔵モジュール２１０とレンズ本体２２０は、１つの部品として相互に統合されてもよい。
【００４３】
図の実施形態において、貯蔵部２２２は、個別に形成されたカプセルを含む壁を有する。各カプセルは、カプセルの壁を形成する感熱部分２２４を有する。それゆえ、感熱部分２２４とカプセル２２４は、事実上、レンズ２００にとって同義である。カプセル２２４はＳＭＰであってもよい。図の実施形態において、各カプセル２２４は個別である。各カプセル２２４は同じ体積と向きを有するように示されている。他の実施形態では、カプセル２２４の１つ又は複数は異なる体積及び／又は異なる向きを有していてもよい。例えば、図示されている１６のカプセル２２４のうちの８つは示されているものと反対の向きを有していてもよい。それゆえ、カプセル２２４は図２Ａに示されている感熱部分１７４Ａ及び１７４Ｂと同様の向きを有していてよい。それゆえ、レンズ２００のベースパワーの上昇と低下の両方が提供されてよい。
【００４４】
レンズ２００は、レンズ１１０及び１５０と同様に機能する。したがって、レンズ２００はレンズ１１０及び／又は１５０の利点を共有していてもよい。特に、レンズ２００のベースパワーは、非侵襲的に患者に合わせられてよい。これは、カプセル２２４の１つ又は複数を、例えばレーザを介して熱処理することにより実現されてよい。その結果、レンズ２００のベースパワーは、レンズ２００の寿命を通して、比較的迅速に、容易に調整されてよい。
【００４５】
図４は、熱により調整可能な眼科レンズ２００’の他の例示的実施形態の断面斜視図を示す。簡潔にするために、眼科レンズ２００’を以下、レンズ２００’と呼ぶ。明瞭さのために、図４は正確な縮尺によらない。レンズ２００’は、ＩＯＬ  １００等のＩＯＬの一部であってもよく、これはレンズのほかハプティクス（図４では示されていない）を含む。簡潔にするために、光軸は示されていない。
【００４６】
レンズ２００’はレンズ本体２１０’、貯蔵モジュール２２０’、及び光学流体（図４では具体的に示されていない）を有する。レンズ本体２１０’、貯蔵モジュール２２０’、マイクロ流体経路２３０’、及び光学流体は、それぞれレンズ本体１２０／１６０／２１０、貯蔵モジュール１３０／１７０／２２０、マイクロ流体経路１８０／２３０、及び光学流体１４０／１９０と同様である。それゆえ、レンズ本体２１０’、ベース２１２’、柔軟膜２１４’、及びチャンバ２１６’は、それぞれレンズ本体１２０／１６０／２１０、ベース１２２／１６２／２１２、柔軟膜１２４／１６４／２１４、及びチャンバ１２６／１６６／２１６と同様である。同様に、貯蔵モジュール２２０’、貯蔵部２２２’、及び感熱部分２２４’は、それぞれ貯蔵モジュール１３０／１７０／２２０、貯蔵部１３２Ａ／１３２Ｂ／１７２Ａ／１７２Ｂ／２２２、及び感熱部分１３４Ａ／１３４Ｂ／１７４Ａ／１７４Ｂ／２２０と同様である。これらの構成要素の構造、機能、及び材料は前述のものと同様であってよい。図示されていないが、前面及び／又は後面は、これに限定されないが回折格子を含む他の特徴を有していてもよい。別の構成要素として示されているが、貯蔵モジュール２１０’とレンズ本体２２０’は、１つの部品として相互に統合されてもよい。
【００４７】
図の実施形態において、貯蔵部２２２’は個別に形成された球形のカプセルを含む壁を有する。それゆえ、レンズ２００’のためのカプセルは、半球形ではなく球形である。各カプセルは、カプセルの壁を形成する感熱部分２２４’を有する。それゆえ、感熱部分２２４’と球形のカプセル２２４’は、レンズ２００にとって事実上同義である。球形のカプセル２２４’はＳＭＰであってもよい。図の実施形態において、各球形のカプセル２２４’は個別である。各カプセル２２４’は同じ体積を有するように示されている。他の実施形態では、カプセル２２４’の１つ又は複数は異なる体積を有していてもよい。図の実施形態において、球形のカプセルの上下の半球形の感熱部分２２４’は個別に熱処理されてよい。
【００４８】
レンズ２００’は、レンズ１１０、１５０、及び２００と同様に機能する。したがって、レンズ２００’はレンズ１１０、１５０、及び／又は２００の利点を共有していてもよい。特に、レンズ２００’のベースパワーは、非侵襲的に患者に合わせられてよい。これは、カプセル２２４’の１つ又は複数を、例えばレーザを介して熱処理することにより実現されてよい。その結果、レンズ２００’のベースパワーは、レンズ２００’の寿命を通して、比較的迅速に、容易に調整されてよい。
【００４９】
図５は、眼科レンズを提供する方法３００のある例示的実施形態を示すフローチャートである。簡潔にするために、幾つかのステップは省略され、中間に挿入され、及び／又は組み合わせられている可能性がある。方法３００も、眼科器具１００と眼科レンズ１１０の観点から説明される。しかしながら、方法３００は、眼科レンズ１１０、１５０、２００、２００’及び／又は同様の眼科器具の１つ又は複数に使用されてよい。
【００５０】
ステップ３０２で、レンズ本体１２０が提供される。ステップ３０２は、ベース１２２、柔軟膜１２４、及び窩洞１２６を提供することを含む。マイクロ流体経路１８０又は２３０等のマイクロ流体経路の幾つか又は全部は、レンズ本体１２０を形成する中で提供されてよい。ステップ３０２は、ベース１２２と柔軟膜１２４を、チャンバ１２６の空間がそれらの間にあるように形成すること、及び／又は接続することを含んでいてもよい。ステップ３０２はまた、柔軟膜１２４及び／又はベース１２２上に回折格子を形成する場合はこれを形成することも含んでいてよい。
【００５１】
ステップ３０４で、貯蔵モジュール１３０が提供される。ステップ３０４は、貯蔵部１３２Ａ／１３２Ｂの境界に感熱部分１３４Ａ及び１３４を提供することを含んでいてよい。例えば、適当な形状、大きさ、ガラス転移温度、及びレーザ光の吸収を有する所望のＳＭＰが提供される。ステップ３０４はまた、マイクロ流体経路の幾つか又は全部を形成することも含んでいてよい。
【００５２】
ステップ３０２及び３０４においてまだ完了していなければ、マイクロ流体経路１８０又は２３０はステップ３０６で提供される。ステップ３０６は単に、チャンバ１２６と貯蔵部１３２Ａ／１３２Ｂとの間に開口部又は通路を提供することを含んでいてよい。あるいは、より複雑な経路が形成されてよい。
【００５３】
ステップ３０８で、光学流体１４０はレンズ１１０に提供される。ステップ３０８は、レンズ１１０に所望の光学流体１４０を充填することと、レンズ１１０を密閉することを含んでいてもよい。それゆえ、光学流体１４０はチャンバ１２６と貯蔵部１３２Ａ／１３２Ｂとの間に流れてもよい。ハプティクス１０２及び１０４は任意選択により、ステップ３１０で提供されてよい。
【００５４】
方法３００を使い、ＩＯＬ  １００と眼科レンズ１１０、１５０、２００、及び／又は２００’が提供されてよい。それゆえ、レンズ１１０、１５０、２００、及び／又は２００’の１つ又は複数の利点が得られてよい。
【００５５】
図６は、患者の眼科的状態を治療し、レンズを調整する方法３５０のある例示的実施形態を示すフローチャートである。簡潔にするために、幾つかのステップは省略され、中間に挿入され、及び／又は組み合わせられている可能性がある。方法３５０も、眼科器具１００と眼科レンズ１１０を使用する観点から説明される。しかしながら、方法３５０は、眼科レンズ１５０、２００、及び／又は２００’に使用されてよい。
【００５６】
ステップ３５２で、熱により調整可能なＩＯＬ  １００が、患者の眼内に移植するために選択される。ＩＯＬ  １００は、レンズ本体１２０、貯蔵モジュール１３０、チャンバ、１２６、及び貯蔵部１３２Ａ／１３２Ｂと光学流体１４０との間の接続を含む。選択プロセスの一部は、患者の視力に必要な矯正を特定することと、適当なパワーを有するＩＯＬ  １００を選択することを含んでいてよい。
【００５７】
ステップ３５４で、ＩＯＬ  １００が患者の眼に移植される。ステップ３５４は、患者自身の水晶体をＩＯＬ  １００と置換すること、又は患者の水晶体をＩＯＬ  １００で補完することを含んでいてよい。
【００５８】
ステップ１５０で、移植されたＩＯＬ  １００が正しいベースパワーを有するか否かが特定される。ステップ１５０は、患者の視力を再測定することを含んでいてよい。このステップは、移植後すぐに行っても、しばらくたってから行ってもよい。これは、ＩＯＬ  １００が、幾つかの実施形態において、その寿命を通して調整されてよいからである。ベースパワーが適正であれば、方法は終了する。
【００５９】
しかしながら、ベースパワーが適正でなければ、ステップ３５８で、ＩＯＬ  １００のベースパワーが非侵襲的に調整されてよい。ベースパワーの上昇又は低下が補正されることが望まれる場合、ステップ３５２で、レンズ１５０と同様のレンズが選択されてよい。ステップ３５８は、感熱部分１３４Ａ及び／又は１３４Ｂの所望の領域を加熱されるように位置決めすることを含んでいてもよい。次に、レーザを感熱部分１３４Ａ及び／又は１３４Ｂの所望の部分に照準が合うようにし、ガラス転移温度に到達するか、又はそれを超えるまで発射されてよい。幾つかの実施形態において、眼の加熱を低減させるために、レーザには低いデューティサイクルが使用されてよい。ステップ３５８は、１回の外来診療中に実行されてよい。それに加えて、ステップ３５６及び３５８は、レンズ１１０の所望のパワーに到達するまで何度も繰り返されてよい。さらに、ステップ３５６及び３５８は、レンズ１１０の寿命を通じて様々な時期に繰り返されてよい。
【００６０】
方法３５０を使って、医師は熱を利用してＩＯＬ  １００のベースパワーをより迅速かつ容易に調整することができる可能性がある。これは、患者にとっての追加の眼鏡を必要とせず、又はＩＯＬ  １００の中に変化をロックすることなく達成されてよい。その結果、医師と患者の双方に対する負荷が縮小されてよい。方法３５０はまた患者にとってより安全である可能性があり、これは、方法３５０が非侵襲的に行われてよいからである。その結果、熱により調整可能なＩＯＬ  １００とレンズ１１０、１５０、２００、及び／又は２００’の利点が達成されてよい。
【００６１】
熱により調整可能なＩＯＬを提供する方法とシステムについて説明した。これらの方法とシステムは、図のような例示的実施形態により説明されており、当業者であれば、これらの実施形態への改変があり得ることに容易に気付き、あらゆる改変はこれらの方法とシステムの主旨と範囲内に含まれる。したがって、当業者により、付属の特許請求の範囲の主旨と範囲から逸脱せずに数多くの改良がなされてよい。
【図１Ａ】
2019526372.tif 000003
【図１Ｂ】
2019526372.tif 000004
【図１Ｃ】
2019526372.tif 000005
【図１Ｄ】
2019526372.tif 000006
【図１Ｅ】
2019526372.tif 000007
【図２Ａ】
2019526372.tif 000008
【図２Ｂ】
2019526372.tif 000009
【図２Ｃ】
2019526372.tif 000010
【図２Ｄ】
2019526372.tif 000011
【図３Ａ】
2019526372.tif 000012
【図３Ｂ】
2019526372.tif 000013
【図４】
2019526372.tif 000014
【図５】
2019526372.tif 000015
【図６】
2019526372.tif 000016
【国際調査報告】
2019526372.tif 000017
2019526372.tif 000018
2019526372.tif 000019